(57)【要約】【課題】エレベータの利用者認証および運転制御の利便性を向上させる。【解決手段】利用者が利用者用ＩＣカード１を一般用読取装置２または車椅子用読取装置３に近接させ、この装置が利用者用ＩＣカード１に記憶される情報を読み取った場合には、読み取り元の装置は、この読み取った情報およびこの読み取った装置の種別を示す識別情報とを含む制御信号を読取情報処理装置６に出力する。読取情報処理装置６が利用者用ＩＣカード１の携帯者がエレベータの正しい利用者であることを認証した場合には、エレベータ制御装置７は、読み取り元の装置が一般用読取装置２であった場合には、読み取りがなされた階床の一般呼びの不停止解除、および当該階床の一般呼びの自動登録を行ない、読み取り元の装置が車椅子用読取装置３であった場合には、読み取りがなされた階床の車椅子呼びの不停止解除、および当該階床の車椅子呼びの自動登録を行なう。【選択図】      図１
2008063088.tif 000002
【特許請求の範囲】
【請求項１】
エレベータの利用者が携帯し、前記エレベータ利用者の認証情報を記憶する記憶手段と、
乗場に設置され、前記記憶手段に記憶された認証情報を読み取る第１の読み取り手段と、
前記乗場に設置され、前記記憶手段に記憶された認証情報を読み取る第２の読み取り手段と、
前記第１の読み取り手段または第２の読み取り手段により読み取った認証情報にしたがって、利用者の認証を行なう認証手段と、
前記第１の読み取り手段による読み取りにしたがって前記認証手段が認証を行なった場合に一般利用者用乗場呼び登録を行ない、前記第２の読み取り手段による読み取りにしたがって前記認証手段が認証を行なった場合に車椅子利用者用乗場呼び登録を行なう呼び登録制御手段と
を備えたことを特徴とするエレベータ運転制御システム。
【請求項２】
エレベータの利用者が携帯し、前記エレベータ利用者の認証情報を記憶する記憶手段と、
乗場に設置され、前記記憶手段に記憶された認証情報を読み取る第１の読み取り手段と、
前記乗場に設置され、前記記憶手段に記憶された認証情報を読み取る第２の読み取り手段と、
前記第１の読み取り手段または第２の読み取り手段により読み取った認証情報にしたがって、利用者の認証を行なう認証手段と、
前記第１の読み取り手段による読み取りにしたがって前記認証手段が認証を行なった場合に一般利用者用乗場呼び登録を行ない、前記第２の読み取り手段による読み取りにしたがって前記認証手段が認証を行なった場合にペット連れ利用者用乗場呼び登録を行なう呼び登録制御手段と、
前記呼び登録制御手段が前記ペット連れ利用者用乗場呼び登録を行なった場合に、前記乗りかご内にペットが存在する旨を各階床の乗場で報知する報知手段と
を備えたことを特徴とするエレベータ運転制御システム。
【請求項３】
乗場に設置され、前記記憶手段に記憶された認証情報を読み取る第３の読み取り手段をさらに備え、
前記呼び登録制御手段は、
前記第３の読み取り手段による読み取りにしたがって前記認証手段が認証を行なった場合にペット苦手利用者用乗場呼び登録を行ない、
前記呼び登録制御手段が前記ペット連れ利用者用乗場呼び登録を行なった後で前記呼び登録制御手段が前記ペット苦手利用者用乗場呼び登録を行なった場合には、前記ペット連れ利用者用乗場呼びへの応答により当該呼びが無くなった場合に前記ペット苦手利用者用乗場呼びへの応答を行なう第１の応答制御手段と、
前記呼び登録制御手段が前記ペット苦手利用者用乗場呼び登録を行なった後で前記呼び登録制御手段が前記ペット連れ利用者用乗場呼び登録を行なった場合には、前記ペット苦手利用者用乗場呼びへの応答により当該呼びが無くなった場合に前記ペット連れ利用者用乗場呼びへの応答を行なう第２の応答制御手段とをさらに備えた
ことを特徴とする請求項２に記載のエレベータ運転制御システム。
【請求項４】
前記記憶手段は、前記利用者の居住階床情報をさらに記憶し、
前記第１の読み取り手段および第２の読み取り手段は、前記記憶手段に記憶される居住階床情報を読み取り、
前記呼び登録制御手段は、
前記第１の読み取り手段または第２の読み取り手段による読み取りにしたがって前記認証手段が認証を行なった場合に、前記読み取られた居住階床の行先階登録を行なう
ことを特徴とする請求項１に記載のエレベータ運転制御システム。
【発明の詳細な説明】
【技術分野】
【０００１】
本発明は、エレベータの利用を許可するシステムと連動したエレベータ運転制御システムに関する。
【背景技術】
【０００２】
従来、セキュリティ機能を有するエレベータシステムでは、利用者が携帯するＩＣカードに記憶されるＩＤ情報を乗場側の読取装置で読み取って利用者を認証し、不停止階床の解除および読み取り元の階床の乗場呼びの自動登録を行っていた。この種のシステムは、例えば特許文献１に開示される。
【特許文献１】特開２００２-１２９７９３号公報
【発明の開示】
【発明が解決しようとする課題】
【０００３】
前述したセキュリティ機能を有するエレベータシステムを利用して、一般利用者のための運転制御を行なうには、一般利用者のＩＤ情報を一般利用者であることを示す識別情報と関連付けて記憶した記憶装置を制御盤に設け、ＩＣカードに当該ＩＣカードの携帯者が一般利用者であることを示す識別情報およびＩＤ情報を記憶した上で、この利用者用ＩＣカードに記憶される情報を読取装置で読み取る。そしてこのシステムは、前述したように読み取られた情報が制御盤側の記憶装置に記憶されている場合に、ＩＣカードの携帯者が一般利用者であるとみなし、一般運転制御に移行する。
【０００４】
また、一般利用者以外の利用者、例えば車椅子利用者のための運転制御を行なうには、制御盤側の記憶装置に車椅子利用者のＩＤ情報を車椅子利用者であることを示す識別情報と関連付けて記憶し、ＩＣカードに当該ＩＣカードの携帯者が車椅子利用者であることを示す識別情報およびＩＤ情報を記憶した上で、この利用者用ＩＣカードに記憶される情報を読取装置で読み取る。そしてこのシステムは、前述したように読み取られた情報が制御盤側の記憶装置に記憶されている場合に、ＩＣカードの携帯者が車椅子利用者であるとみなし、車椅子利用者のための運転制御、例えば開扉時間を長くする運転制御に移行する。
【０００５】
この制御を行なうには、車椅子利用者であることを示す識別情報を予め制御盤側の記憶装置およびＩＣカードへ記憶させる必要があるが、利用者の追加や転居による入れ替わりがある毎に、ＩＣカードや記憶装置に記憶される識別情報の書き換えが必要であり、その作業に時間を要してしまう。
【０００６】
また、ＩＣカードを携帯している一般利用者が車椅子利用者を連れており、この車椅子利用者が外来者であってＩＣカードを携帯していない場合があるが、この場合には一般利用者が携帯しているＩＣカードには車椅子利用者であることを示す識別情報が記憶されていないので車椅子利用者のための運転制御を行なわせることができない。
【０００７】
つまり、運転制御の種別をＩＣカードに記憶される利用者情報の種別にしたがって決定するシステムでは、ＩＣカードに記憶される利用者情報の種別と実際に行なわせたい運転制御の種別とが対応していない場合には、適した運転制御を行なうことができない。
【０００８】
そこで、本発明の目的は、エレベータの利用者認証および運転制御の利便性を向上させることが可能になるエレベータ運転制御システムを提供することにある。
【課題を解決するための手段】
【０００９】
すなわち、本発明に係わるエレベータ運転制御システムは、エレベータの利用者が携帯し、認証情報を記憶する記憶手段と、乗場に設置され、記憶手段に記憶された認証情報を読み取る第１の読み取り手段と、乗場に設置され、記憶手段に記憶された認証情報を読み取る第２の読み取り手段とを備え、第１または第２の読み取り手段により読み取った認証情報にしたがって利用者の認証を行ない、第１の読み取り手段による読み取りにしたがって認証を行なった場合に一般利用者用乗場呼び登録を行ない、第２の読み取り手段による読み取りにしたがって認証を行なった場合に車椅子利用者用乗場呼び登録を行なうことを特徴とする。
【発明の効果】
【００１０】
本発明によれば、エレベータの利用者認証および運転制御の利便性を向上させることができる。
【発明を実施するための最良の形態】
【００１１】
以下図面により本発明の実施形態について説明する。  
（第１の実施形態）
まず、本発明の第１の実施形態について説明する。  
図１は、本発明の第１の実施形態にしたがったエレベータ運転制御システムの構成例を示すブロック図である。
【００１２】
このエレベータ運転制御システムは、エレベータの利用者が携帯する記憶手段である利用者用ＩＣカード１とエレベータ側の各種機器からなる。エレベータ側では、各階床の乗場の図示しない乗場呼び釦付近に読み取り手段である一般用読取装置２、車椅子用読取装置３、ペット連れ用読取装置４をそれぞれ設ける。
【００１３】
利用者用ＩＣカード１内の図示しない内蔵メモリには、当該カードを携帯する利用者に固有の認証情報であるＩＤ情報と当該利用者の居住階床の情報が記憶される。ただし、利用者用ＩＣカード１内の内蔵メモリには当該カードを携帯する利用者が一般利用者であったり車椅子利用者であったりすることを示す情報は記憶されない。
【００１４】
一般用読取装置２は、利用者用ＩＣカード１の携帯者である利用者が一般利用者であるためにエレベータに一般利用者向けの運転制御を行なわせたい場合に利用者用ＩＣカード１を近接させる装置であり、この近接した利用者用ＩＣカード１に記憶される情報を近距離無線通信により読み取る。
【００１５】
車椅子用読取装置３は、利用者用ＩＣカード１の携帯者またはその同伴者が車椅子利用者であるためにエレベータに車椅子利用者向けの運転制御を行なわせたい場合に利用者用ＩＣカード１を近接させる装置であり、この近接した利用者用ＩＣカード１に記憶される情報を近距離無線通信により読み取る。
【００１６】
ペット連れ用読取装置４は、利用者用ＩＣカード１の携帯者またはその同伴者がペットを連れているためにエレベータにペット乗車時向けの運転制御を行なわせたい場合に利用者用ＩＣカード１を近接させる装置であり、この近接した利用者用ＩＣカード１に記憶される情報を近距離無線通信により読み取る。
【００１７】
エレベータの機械室には、ＩＤ情報記憶装置５、認証手段である読取情報処理装置６、呼び登録制御手段および応答制御手段であるエレベータ制御装置７が設けられ、各階床の乗場にはペット乗車表示灯８が設けられる。
【００１８】
ＩＤ情報記憶装置５にはエレベータの各利用者のＩＤ情報が記憶される。  
読取情報処理装置６は、一般用読取装置２、車椅子用読取装置３、ペット連れ用読取装置４のいずれかで読み取ったＩＤ情報がＩＤ情報記憶装置５に記憶されている場合に利用者を認証し、ＩＤ情報の読み取り元の装置の種別にしたがった運転制御を行なう旨を示す制御信号をエレベータ制御装置７に出力する。
【００１９】
エレベータ制御装置７は、読取情報処理装置６からの制御信号にしたがって呼び登録および図示しない乗りかごの運転制御を行ない、必要に応じて各階床の乗場のペット乗車表示灯８を点灯させる。ペット乗車表示灯８は、乗りかご内にペットが存在する旨を各階床の乗場で報知する報知手段である。
【００２０】
次に、図１に示した構成のエレベータ運転制御システムの動作について説明する。  
ここでは、エレベータ運転制御システムの第１の処理、第２の処理および第３の処理についてそれぞれ説明する。  
図２は、本発明の第１の実施形態にしたがったエレベータ運転制御システムの第１の処理内容を示すフローチャートである。
【００２１】
この第１の処理は、利用者がエレベータの通常の運転制御を行なわせたい場合の処理である。初期状態では、乗場呼びは不停止状態となっており、乗場呼び釦を操作しても乗場呼びが登録されないようになっている。
【００２２】
利用者が利用者用ＩＣカード１を一般用読取装置２に近接させて、一般用読取装置２が、この利用者用ＩＣカード１に記憶される情報を読み取った場合（ステップＳ１のＹＥＳ）には、一般用読取装置２は、この読み取った各種情報、およびこの読み取った装置の種別が一般用読取装置２であることを示す識別情報を含む制御信号を読取情報処理装置６に出力する。
【００２３】
読取情報処理装置６は、一般用読取装置２からの制御信号を入力すると、この制御信号で示されるＩＤ情報とＩＤ情報記憶装置５に記憶されるＩＤ情報とを照合し、一般用読取装置２からのＩＤ情報がＩＤ情報記憶装置５に記憶されるＩＤ情報に含まれていれば、利用者用ＩＣカード１の携帯者がエレベータの正しい利用者であることを認証する。
【００２４】
そして、読取情報処理装置６は、一般用読取装置２からの制御信号で示される読み取り元装置の識別情報が一般用読取装置２を示すことにより、ＩＤ情報の読み取りがなされた階床、例えば玄関階の一般呼び、つまり一般利用者用の乗場呼びの不停止解除、当該階床の一般呼びの自動登録および利用者用ＩＣカード１から読み取られた居住階床の行先階登録を行なう旨を示す制御信号をエレベータ制御装置７に出力する。
【００２５】
エレベータ制御装置７は、読取情報処理装置６からの制御信号を入力すると、この制御信号にしたがった不停止解除、一般呼びの自動登録および居住階床の行先階登録を行なう（ステップＳ２，Ｓ３）。  
この自動登録の結果、乗りかごは一般呼びに応答してＩＤ情報の読み取り元の階床に着床する（ステップＳ４）。
【００２６】
次に、エレベータ運転制御システム第２の処理について説明する。  
この第２の処理は、利用者がエレベータの車椅子利用者向けの運転制御を行なわせたい場合の処理である。初期状態では、乗場呼びは不停止状態となっており、乗場呼びが登録されないようになっている。
【００２７】
図３は、本発明の第１の実施形態にしたがったエレベータ運転制御システムの第２の処理内容を示すフローチャートである。
【００２８】
利用者が利用者用ＩＣカード１を車椅子用読取装置３に近接させて、車椅子用読取装置３が、この利用者用ＩＣカード１に記憶される情報を読み取った場合（ステップＳ１１のＹＥＳ）には、車椅子用読取装置３は、この読み取った各種情報、およびこの読み取った装置の種別が車椅子用読取装置３であることを示す識別情報を含む制御信号を読取情報処理装置６に出力する。
【００２９】
読取情報処理装置６は、車椅子用読取装置３からの制御信号を入力すると、この制御信号で示されるＩＤ情報とＩＤ情報記憶装置５に記憶されるＩＤ情報とを照合し、車椅子用読取装置３からのＩＤ情報がＩＤ情報記憶装置５に記憶されるＩＤ情報に含まれていれば、利用者用ＩＣカード１の携帯者がエレベータの正しい利用者であることを認証する。
【００３０】
そして、読取情報処理装置６は、車椅子用読取装置３からの制御信号で示される読み取り元装置の識別情報が車椅子用読取装置３を示すことにより、ＩＤ情報の読み取りがなされた階床、例えば玄関階の車椅子呼び、つまり車椅子利用者用の乗場呼びの不停止解除、当該階床の車椅子呼びの自動登録および読み取られた居住階床の行先階登録を行なう旨を示す制御信号をエレベータ制御装置７に出力する。
【００３１】
エレベータ制御装置７は、読取情報処理装置６からの制御信号を入力すると、この制御信号にしたがった不停止解除、車椅子呼びの自動登録および居住階床の行先階登録を行なう（ステップＳ１２，Ｓ１３）。
【００３２】
この自動登録の結果、乗りかごは車椅子呼びに応答してＩＤ情報の読み取り元の階床に着床する（ステップＳ１４）。車椅子呼びにしたがって着床した乗りかごの開扉時間は一般呼びにしたがって着床した乗りかごの開扉時間より長い。よって、車椅子利用者によるエレベータ利用の利便性を確保できる。
【００３３】
次に、エレベータ運転制御システム第３の処理について説明する。  
この第３の処理は、利用者がエレベータのペット乗車時向けの運転制御を行なわせたい場合の処理である。初期状態では、乗場呼びは不停止状態となっており、乗場呼びが登録されないようになっている。  
図４は、本発明の第１の実施形態にしたがったエレベータ運転制御システムの第３の処理内容を示すフローチャートである。
【００３４】
利用者が利用者用ＩＣカード１をペット連れ用読取装置４に近接させて、ペット連れ用読取装置４が、この利用者用ＩＣカード１に記憶される情報を読み取った場合（ステップＳ２１のＹＥＳ）には、ペット連れ用読取装置４は、この読み取った各種情報、およびこの読み取った装置の種別がペット連れ用読取装置４であることを示す識別情報を含む制御信号を読取情報処理装置６に出力する。
【００３５】
読取情報処理装置６は、ペット連れ用読取装置４からの制御信号を入力すると、この制御信号で示されるＩＤ情報とＩＤ情報記憶装置５に記憶されるＩＤ情報とを照合し、ペット連れ用読取装置４からのＩＤ情報がＩＤ情報記憶装置５に記憶されるＩＤ情報に含まれていれば、利用者用ＩＣカード１の携帯者がエレベータの正しい利用者であることを認証する。
【００３６】
そして、読取情報処理装置６は、ペット連れ用読取装置４からの制御信号で示される読み取り元装置の識別情報がペット連れ用読取装置４を示すことにより、ＩＤ情報の読み取りがなされた階床、例えば玄関階の一般呼びの不停止解除、当該階床のペット連れ呼び、つまりペット乗車時向けの乗場呼びの自動登録および読み取られた居住階床の行先階登録を行なう旨を示す制御信号をエレベータ制御装置７に出力する。
【００３７】
エレベータ制御装置７は、読取情報処理装置６からの制御信号を入力すると、この制御信号にしたがった不停止解除、ペット連れ呼びの自動登録および読み取られた居住階床の行先階登録を行なう（ステップＳ２２，Ｓ２３）。
【００３８】
そして、エレベータ制御装置７は、各階床のペット乗車表示灯８を点灯させる（ステップＳ２４）。ペット乗車表示灯８は例えばペットを象った表示灯であり、これが点灯することで、各階床の乗客は乗りかごにペットが乗っていることを認識することができる。  
前述した自動登録の結果、乗りかごはペット連れ呼びに応答してＩＤ情報の読み取り元の階床に着床する（ステップＳ２５）。
【００３９】
以上のように、本発明の第１の実施形態にしたがったエレベータ運転制御システムでは、利用者が携帯する利用者用ＩＣカード１にエレベータの運転形態を決定付けるための情報を記憶しない上で、運転形態の種別に応じた読取装置を乗場に設け、利用者用ＩＣカード１を携帯する利用者がエレベータ利用時に行なわせたい運転形態に対応する読取装置に利用者用ＩＣカード１に記憶される情報を読み取らせ、エレベータ制御装置７は、読み取り元の装置の種別に応じた運転制御を行なうので、利用者用ＩＣカード１の携帯者自身に限られず、同伴者やペットの有無を考慮した運転制御を行なわせることができる。
【００４０】
例えば、利用者用ＩＣカード１を携帯する利用者が健常者であっても、車椅子利用者を連れてエレベータを利用する場合には、エレベータに車椅子利用者向けの運転制御を行なわせることが望ましい。この場合には、利用者用ＩＣカード１を携帯する利用者は、車椅子用読取装置３に利用者用ＩＣカード１に記憶されるＩＤ情報を読み取らせれば、車椅子利用者向けの運転制御がなされるので、利用者にとって適した運転制御を容易に行なうことができる。
【００４１】
また、利用者用ＩＣカード１を携帯する利用者がペット飼育者である場合があるが、この携帯者は、ペットを連れてエレベータを利用する場合とペットを連れないでエレベータを利用する場合とがある。利用者がペットを連れている場合には、ペット乗車時向けの運転制御を行なわせることが望ましいが、利用者がペットを連れていない場合には、一般利用者向けの運転制御を行なわせることが望ましい。
【００４２】
利用者用ＩＣカード１を携帯する利用者は、ペットを連れている場合には、ペット連れ用読取装置４に利用者用ＩＣカード１に記憶されるＩＤ情報を読み取らせれば、ペット乗車時向けの運転制御がなされる。また、利用者用ＩＣカード１を携帯する利用者は、ペットを連れていない場合には、一般用読取装置２に利用者用ＩＣカード１に記憶されるＩＤ情報を読み取らせれば、一般利用者向けの運転制御がなされる。よって、ペットを飼育する利用者および各階床の待ち乗客にとって適した運転制御を容易に行なうことができる。
【００４３】
また、利用者用ＩＣカード１を携帯して、通常ペットを飼育していない利用者が一時的にペットを連れて乗車する場合にも、ペットが苦手な人に配慮した運転制御を行なわせることが可能である。
【００４４】
（第２の実施形態）
次に、本発明の第２の実施形態について説明する。なお、本実施形態に係るエレベータ運転制御システムの構成は図１に示したものと基本的にほぼ同様であるので同一部分の説明は省略する。
【００４５】
図５は、本発明の第２の実施形態にしたがったエレベータ運転制御システムの構成例を示すブロック図である。  
図５に示したように、本発明の第２の実施形態にしたがったエレベータ運転制御システムは、第１の実施形態で備えた車椅子用読取装置３に代えて、ペット苦手用読取装置１１を備える。また、各階床の乗場にはペット待機指示灯１２が備えられる。
【００４６】
ペット待機指示灯１２は、各階床の乗場においてペットを連れて待っている乗客に対し、ペットが苦手な乗客が乗りかごに乗っていることを知らせるための表示灯であり、例えば「ペットが苦手な方が乗っています」とのメッセージが表示される。
【００４７】
ペット苦手用読取装置１１は、ペットが苦手な利用者が、ペットとの鉢合わせを回避するための運転制御を行なわせたい場合に、利用者が利用者用ＩＣカード１を近接させる装置であり、この近接した利用者用ＩＣカード１に記憶される情報を近距離無線通信により読み取る。
【００４８】
エレベータ制御装置７は、読取情報処理装置６からの制御信号にしたがって呼び登録を行なって乗りかごの運転制御を行ない、必要に応じて各階床の乗場のペット乗車表示灯８やペット待機指示灯１２を点灯させる。
【００４９】
次に、本発明の第２の実施形態にしたがったエレベータ運転制御システムの処理について説明する。この処理では、ペットを連れた乗客とペットが苦手な乗客との不意な鉢合わせを回避するための処理を行なう。
【００５０】
図６は、本発明の第２の実施形態にしたがったエレベータ運転制御システムの処理内容の一例を示すフローチャートである。  
まず、呼び登録がない状態で、利用者が利用者用ＩＣカード１をペット連れ用読取装置４に近接させて、ペット連れ用読取装置４が、この利用者用ＩＣカード１に記憶される情報を読み取った場合（ステップＳ３１のＹＥＳ）には、ペット連れ用読取装置４は、この読み取った各種情報、およびこの読み取った装置の種別がペット連れ用読取装置４であることを示す識別情報とを含む制御信号を読取情報処理装置６に出力する。
【００５１】
読取情報処理装置６は、ペット連れ用読取装置４からの制御信号を入力すると、この制御信号で示されるＩＤ情報とＩＤ情報記憶装置５に記憶されるＩＤ情報とを照合し、ペット連れ用読取装置４からのＩＤ情報がＩＤ情報記憶装置５に記憶されるＩＤ情報に含まれていれば、利用者用ＩＣカード１の携帯者がエレベータの正しい利用者であることを認証する。
【００５２】
そして、読取情報処理装置６は、ペット連れ用読取装置４からの制御信号で示される読み取り元装置の識別情報がペット連れ用読取装置４を示すことにより、ＩＤ情報の読み取りがなされた階床、例えば玄関階の一般呼びの不停止解除、および当該階床のペット連れ呼びの自動登録を行なう旨を示す制御信号をエレベータ制御装置７に出力する。
【００５３】
エレベータ制御装置７は、読取情報処理装置６からの制御信号を入力すると、この制御信号にしたがった不停止解除およびペット連れ呼びの自動登録を行なう（ステップＳ３２，Ｓ３３）。
【００５４】
この自動登録を行なった後で、利用者が利用者用ＩＣカード１をペット苦手用読取装置１１に近接させて、ペット苦手用読取装置１１が、この利用者用ＩＣカード１に記憶される情報を読み取った場合（ステップＳ３４のＹＥＳ）には、ペット苦手用読取装置１１は、この読み取った各種情報、およびこの読み取った装置の種別がペット苦手用読取装置１１であることを示す識別情報とを含む制御信号を読取情報処理装置６に出力する。
【００５５】
読取情報処理装置６は、ペット苦手用読取装置１１からの制御信号を入力すると、この制御信号で示されるＩＤ情報とＩＤ情報記憶装置５に記憶されるＩＤ情報とを照合し、ペット苦手用読取装置１１からのＩＤ情報がＩＤ情報記憶装置５に記憶されるＩＤ情報に含まれていれば、利用者用ＩＣカード１の携帯者がエレベータの正しい利用者であることを認証する。
【００５６】
そして、読取情報処理装置６は、ペット苦手用読取装置１１からの信号で示される読み取り元装置の識別情報がペット苦手用読取装置１１を示すことにより、ＩＤ情報の読み取りがなされた階床のペット苦手呼び、つまりペットが苦手な乗客の乗車時向けの乗場呼びの自動登録を行なう旨を示す制御信号をエレベータ制御装置７に出力する。
【００５７】
エレベータ制御装置７は、前述したペット連れ呼びの自動登録後に読取情報処理装置６からの制御信号を入力すると、この制御信号にしたがったペット苦手呼びの自動登録を行なう。ただし、ここでは、このペット苦手呼びに対する応答はなされない。
【００５８】
そして、エレベータ制御装置７は、各階床のペット乗車表示灯８を点灯させる（ステップＳ３５）。これにより、各階床の乗客は乗りかごにペットが乗っていることを認識することができる。よって、ペット連れ呼びにしたがった乗りかごの行先階の乗場にペットを苦手とする乗客がいる場合でも、この乗客が乗場から遠ざかることにより、ペットと当該ペットを苦手とする乗客との不意な鉢合わせを防止できる。
【００５９】
そして、エレベータ制御装置７は、前述したように自動登録したペット連れ呼びに乗りかごを応答させて、この乗りかごがＩＤ情報の読み取り元の階床、つまり利用者用ＩＣカード１を近接させたペット連れ用読取装置４の設置元の階床に着床後、行先階まで昇降してペット連れ呼びが無くなった場合（ステップＳ３６のＹＥＳ）には、乗りかごからペットが降りて、ペット苦手者との不意な鉢合わせが発生しないとみなし、各階床のペット乗車表示灯８を消灯させる（ステップＳ３７）。
【００６０】
そして、エレベータ制御装置７は、前述したように自動登録したペット苦手呼びに乗りかごを応答させて、ＩＤ情報の読み取り元の階床、つまり利用者用ＩＣカード１を近接させたペット苦手用読取装置１１の設置元の階床に着床させる（ステップＳ３８）。
【００６１】
一方、前述したようにペット連れ呼びの自動登録後に、利用者が利用者用ＩＣカード１をペット苦手用読取装置１１に近接させていない場合（ステップＳ３４のＮＯ）には、エレベータ制御装置７は、前述したように自動登録したペット連れ呼びに乗りかごを応答させて、この乗りかごをＩＤ情報の読み取り元の階床、つまり利用者用ＩＣカード１を近接させたペット連れ用読取装置４の設置元の階床に着床させる（ステップＳ３９）。
【００６２】
また、呼び登録が無い状態で、利用者が利用者用ＩＣカード１をペット苦手用読取装置１１に近接させて、ペット苦手用読取装置１１が、この利用者用ＩＣカード１に記憶される情報を読み取った場合（ステップＳ４１のＹＥＳ）には、ペット苦手用読取装置１１は、この読み取った各種情報、およびこの読み取った装置の種別がペット苦手用読取装置１１であることを示す識別情報とを含む制御信号を読取情報処理装置６に出力する。
【００６３】
読取情報処理装置６は、ペット苦手用読取装置１１からの制御信号を入力すると、この制御信号で示されるＩＤ情報とＩＤ情報記憶装置５に記憶されるＩＤ情報とを照合し、ペット苦手用読取装置１１からのＩＤ情報がＩＤ情報記憶装置５に記憶されるＩＤ情報に含まれていれば、利用者用ＩＣカード１の携帯者がエレベータの正しい利用者であることを認証する。
【００６４】
そして、読取情報処理装置６は、ペット苦手用読取装置１１からの信号で示される読み取り元装置の識別情報がペット苦手用読取装置１１を示すことにより、ＩＤ情報の読み取りがなされた階床、例えば玄関階の一般呼びの不停止解除、および当該階床のペット苦手呼びの自動登録を行なう旨を示す制御信号をエレベータ制御装置７に出力する。
【００６５】
エレベータ制御装置７は、読取情報処理装置６からの制御信号を入力すると、この制御信号にしたがった不停止解除およびペット苦手呼びの自動登録を行なう（ステップＳ４２，Ｓ４３）。
【００６６】
この自動登録を行なった後で、他の階床の利用者が利用者用ＩＣカード１をペット連れ用読取装置４に近接させて、ペット連れ用読取装置４が、この利用者用ＩＣカード１に記憶される情報を読み取った場合（ステップＳ４４のＹＥＳ）には、ペット連れ用読取装置４は、この読み取った各種情報、およびこの読み取った装置の種別がペット連れ用読取装置４であることを示す識別情報とを含む制御信号を読取情報処理装置６に出力する。
【００６７】
読取情報処理装置６は、ペット連れ用読取装置４からの制御信号を入力すると、この制御信号で示されるＩＤ情報とＩＤ情報記憶装置５に記憶されるＩＤ情報とを照合し、ペット連れ用読取装置４からのＩＤ情報がＩＤ情報記憶装置５に記憶されるＩＤ情報に含まれていれば、利用者用ＩＣカード１の携帯者がエレベータの正しい利用者であることを認証する。
【００６８】
そして、読取情報処理装置６は、ペット連れ用読取装置４からの信号で示される読み取り元装置の識別情報がペット連れ用読取装置４を示すことにより、ＩＤ情報の読み取りがなされた階床のペット連れ呼びの自動登録を行なう旨を示す制御信号をエレベータ制御装置７に出力する。
【００６９】
エレベータ制御装置７は、前述したペット連れ呼びの自動登録後に読取情報処理装置６からの制御信号を入力すると、この制御信号にしたがったペット連れ呼びの自動登録を行なう。ただし、ここでは、このペット連れ呼びに対する応答はなされない。
【００７０】
そして、エレベータ制御装置７は、各階床のペット待機指示灯１２を点灯させる（ステップＳ４５）。これにより、各階床のペットを連れている乗客は乗りかごにペットを苦手とする乗客が乗っていることを認識することができる。よって、ペット苦手呼びにしたがった乗りかごの行先階の乗場にペットを連れた乗客がいる場合でも、このペットを連れた者がペットを乗場から遠ざけるなどの配慮を行なうことにより、ペットと当該ペットを苦手とする乗客との鉢合わせを防止できる。
【００７１】
そして、エレベータ制御装置７は、前述したように自動登録したペット苦手呼びに乗りかごを応答させて、この乗りかごがＩＤ情報の読み取り元の階床、つまり利用者用ＩＣカード１を近接させたペット苦手用読取装置１１の設置元の階床に着床後、行先階まで昇降してペット苦手呼びが無くなった場合（ステップＳ４６のＹＥＳ）には、乗りかごからペットを苦手とする乗客が降り、この乗客とペットとの不意な鉢合わせが発生しないとみなし、各階床のペット待機指示灯１２を消灯させる（ステップＳ４７）。
【００７２】
そして、エレベータ制御装置７は、前述したように自動登録したペット連れ呼びに乗りかごを応答させて、ＩＤ情報の読み取り元の階床、つまり利用者用ＩＣカード１を近接させたペット連れ用読取装置４の設置元の階床に着床させる（ステップＳ４８）。
【００７３】
一方、前述したようにペット苦手呼びの自動登録後に、他の階床の利用者が利用者用ＩＣカード１をペット連れ用読取装置４に近接させていない場合（ステップＳ４４のＮＯ）には、エレベータ制御装置７は、前述したように自動登録したペット苦手呼びに乗りかごを応答させて、この乗りかごをＩＤ情報の読み取り元の階床、つまり利用者用ＩＣカード１を近接させたペット苦手用読取装置１１の設置元の階床に着床させる（ステップＳ４９）。
【００７４】
以上のように、本発明の第２の実施形態にしたがったエレベータ運転制御システムでは、ペット連れ用読取装置４およびペット苦手用読取装置１１の一方に対する利用者用ＩＣカード１の近接により呼びが登録された場合で、ペット連れ用読取装置４およびペット苦手用読取装置１１の他方に対する利用者用ＩＣカード１の近接により呼びが登録された場合には、前述した一方に対する利用者用ＩＣカード１の近接により登録された呼びに応答するまで前述した他方に対する利用者用ＩＣカード１の近接により登録された呼びに応答しない。よって、ペット連れ呼びおよびペット苦手呼びのうち先に登録された呼びに応答した乗りかごの行先階と後に登録された呼びがなされた階床とが同じであっても、ペットと当該ペットを苦手とする乗客とが鉢合わせることがなくなる。
【００７５】
また、乗りかごにペットが乗車していることを各階床に報知したり、ペットを苦手としている乗客が乗りかごに乗車していることを各階床に報知したりすることで、乗りかごの行先階にペットがいたりペットを苦手とする乗客がいたりする場合でも、ペットと当該ペットを苦手とする乗客の不意な鉢合わせを防止できる。
【００７６】
なお、この発明は前記実施形態そのままに限定されるものではなく実施段階ではその要旨を逸脱しない範囲で構成要素を変形して具体化できる。また、前記実施形態に開示されている複数の構成要素の適宜な組み合わせにより種々の発明を形成できる。例えば、実施形態に示される全構成要素から幾つかの構成要素を省略してもよい。更に、異なる実施形態に亘る構成要素を適宜組み合せてもよい。
【図面の簡単な説明】
【００７７】
【図１】本発明の第１の実施形態にしたがったエレベータ運転制御システムの構成例を示すブロック図。
【図２】本発明の第１の実施形態にしたがったエレベータ運転制御システムの第１の処理内容を示すフローチャート。
【図３】本発明の第１の実施形態にしたがったエレベータ運転制御システムの第２の処理内容を示すフローチャート。
【図４】本発明の第１の実施形態にしたがったエレベータ運転制御システムの第３の処理内容を示すフローチャート。
【図５】本発明の第２の実施形態にしたがったエレベータ運転制御システムの構成例を示すブロック図。
【図６】本発明の第２の実施形態にしたがったエレベータ運転制御システムの処理内容の一例を示すフローチャート。
【符号の説明】
【００７８】
１…利用者用ＩＣカード、２…一般用読取装置、３…車椅子用読取装置、４…ペット連れ用読取装置、５…ＩＤ情報記憶装置、６…読み取り情報処理装置、７…エレベータ制御装置、８…ペット乗車表示灯、１１…ペット苦手用読取装置、１２…ペット待機指示灯。
【図１】
2008063088.tif 000003
【図２】
2008063088.tif 000004
【図３】
2008063088.tif 000005
【図４】
2008063088.tif 000006
【図５】
2008063088.tif 000007
【図６】
2008063088.tif 000008